(57)【要約】【課題】防カビ効果の発現が速く、防カビ効果を部屋空間の隅々まで及ぼすことのできる防カビ手段を提供する。【解決手段】浴室天井Ｃの裏面に配設した換気装置１は、ハウジング２内を送風装置４を配置した吸引室３と防カビ剤の揮発手段６を配置した揮発室５とに区画され、排気通路１１、揮発室５の流入口５ｂ及び放出口５ｃに開閉手段が設けられる。換気工程の間、揮発室５は密閉状態に保たれ、揮発手段６から気化した防カビ剤ガスを充満させる。防カビ工程は、排気通路１１を閉止し、揮発室５の流入口５ｂ及び放出口５ｃを開放し、送風装置４で空気を揮発室５内へ送り込み、高濃度防カビ剤ガスを一気に押し出す。浴室の防カビ剤ガス濃度が急激に増加し短時間で防カビ効果が発現する。高濃度防カビ剤ガスは素早く拡散する。所定時間経過後又は扉の開閉検知により防カビ剤ガスを強制的に排出する。【選択図】      図２
2007333240.tif 000002
【特許請求の範囲】
【請求項１】
部屋空間におけるカビの発生を抑制するための方法であって、部屋空間に隣接して又は部屋空間の内部に、開閉手段を有する放出口を備える揮発室を設け、放出口を閉止した状態で揮散性防カビ剤を気化させて揮発室内に高濃度の防カビ剤ガスを充満させたのち、部屋空間と外部との間での空気の流通を阻止した状態で、放出口を開放して揮発室内の高濃度防カビ剤ガスを部屋空間へ放出することを特徴とする防カビ方法。
【請求項２】
部屋空間を一定時間換気して湿度を低下させた後に、高濃度防カビ剤ガスを揮発室内から部屋空間へ放出する請求項１に記載の防カビ方法。
【請求項３】
揮発室に開閉手段を有する流入口と、揮発室内の気体を強制的に部屋空間へ送り出す送風手段とを設け、揮発室内から部屋空間へ高濃度防カビ剤ガスを放出させる際には、揮発室の流入口及び放出口を開放すると共に送風手段を動作させて、揮発室内と部屋空間との間で空気を強制的に流通させる請求項１又は２に記載の防カビ方法。
【請求項４】
高濃度防カビ剤ガスを揮発室内から部屋空間へ放出させた後、部屋空間の出入口が開放されたことを検知すると、即座に部屋空間の換気を実行するように設定した請求項１乃至３のいずれかに記載の防カビ方法。
【請求項５】
部屋空間内におけるカビの発生を抑制するための装置であって、部屋空間に隣接して又は部屋空間の内部に設けられた揮発室と、揮発室内に収納される揮散性防カビ剤の揮発手段と、揮発室に設けられ前記部屋空間に連絡する放出口と、当該放出口の開閉手段とを備えることを特徴とする防カビ装置。
【請求項６】
前記揮発室内の気体を強制的に前記部屋空間へ送り出す送風手段を設けた請求項５に記載の防カビ装置。
【請求項７】
前記放出口の開閉手段及び前記送風手段の動作時間を制御する手段を設けた請求項６に記載の防カビ装置。
【請求項８】
部屋空間に隣接して設けられ排気通路が接続された吸引室と、当該吸引室内に配設され部屋空間の空気を排気通路へ送り出す送風装置と、排気通路の開閉手段とを有する換気装置であって、揮発室、当該揮発室内に収納される揮散性防カビ剤の揮発手段、送風装置の排気通路側と揮発室内とを連絡する流入口、揮発室内と部屋空間とを連絡する放出口、並びに、流入口及び放出口それぞれの開閉手段を備える防カビ装置が、吸引室に隣接して又は吸引室の内部に設けられ、送風装置、排気通路の開閉手段、揮発室の流入口の開閉手段及び放出口の開閉手段それぞれの動作を操作する制御手段を有することを特徴とする防カビ機能を有する換気装置。
【請求項９】
送風装置、排気通路の開閉手段、揮発室の流入口の開閉手段及び放出口の開閉手段それぞれの動作時間を設定するタイマーを設けた請求項７に記載の防カビ機能を有する換気装置。
【請求項１０】
部屋空間の出入口に設けられる扉の開閉を検知する手段を設け、当該検知手段による扉の開動作検知に基づき、送風装置、排気通路の開閉手段、揮発室の流入口の開閉手段及び放出口の開閉手段それぞれの動作を制御するように設定した請求項７又は８に記載の防カビ機能を有する換気装置。
【発明の詳細な説明】
【技術分野】
【０００１】
本発明は、浴室、シャワー室、化粧室、厨房など、比較的密閉性が高く多湿環境になりやすい部屋空間におけるカビの発生を抑制するための技術に関する。
【背景技術】
【０００２】
特許文献１に、ダクトケーシングの内部に、循環用ファンと空気加熱用ヒータと防カビ剤の噴霧装置とを備える浴室用空調装置が記載されている。この空調装置は、循環用ファンで浴室内の空気を吸引し、ヒータで加熱したのち、噴霧装置から防カビ剤を噴霧して、防カビ剤を混入させた加熱空気を浴室内へ循環させることにより、浴室内におけるカビの発生を防止するとされている。
【特許文献１】特開平９−４８６３号公報
【発明の開示】
【発明が解決しようとする課題】
【０００３】
特許文献１に記載の空調装置は、浴室を循環する空気中に防カビ剤を噴霧するものであるため、起動後、浴室内の防カビ剤濃度が徐々に上昇する機構となっている。それ故、浴室空気中の防カビ剤濃度が所定値に達するまでに多少の時間を要する。また、噴霧した防カビ剤は、物体表面に付着することでカビの発生防止効果を発揮すると記載されている。しかるに、噴霧によりミスト（またはエアロゾル）の形態で循環空気中に分散された防カビ剤は拡散しにくいため、循環空気流が直接及ばない範囲に付着させることは困難と考えられる。つまり、主に浴室内で直に目視できる範囲、例えば壁面や床面等の露出している箇所には防カビ効果を及ぼせるが、表に露出していない箇所、例えば浴槽エプロンの裏面側、収納棚の下面側、鏡の裏面側などには防カビ効果が及ばないおそれがある。
【０００４】
さらにミスト状態とは、粒径が微細ではあるが液体の状態であり、防カビ剤ミストが付着した部分でしか防カビ効果を発揮できないおそれがある。また万一、人体に接触した場合、高濃度であるため、特に目に付着したり吸引したりすると、刺激や疼痛等を与えるおそれがある。しかも噴霧装置から防カビ剤を吐出させる際、噴霧ノズルの不具合やミスト同士の合体等により、防カビ剤が粒径の微細なミスト状とはならず、比較的粒径の大きい液滴状態で循環空気中に供給される可能性があるが、そのような場合、上記問題はより顕著になる。
【課題を解決するための手段】
【０００５】
本発明は、前記課題を解決することのできる防カビ方法、防カビ装置、及び、防カビ機能を有する換気装置を提供する。
【０００６】
（防カビ方法）
本発明が採用する防カビ方法の特徴とするところは、請求項１に記載するとおり、部屋空間に隣接して又は部屋空間の内部に、開閉手段を有する放出口を備える揮発室を設け、放出口を閉止した状態で揮散性防カビ剤を気化させて揮発室内に高濃度の防カビ剤ガスを充満させたのち、部屋空間と外部との間での空気の流通を阻止した状態で、放出口を開放して揮発室内の高濃度防カビ剤ガスを部屋空間へ放出することである。
【０００７】
前記方法において、請求項２に記載の如く、部屋空間を一定時間換気して湿度を低下させた後に、高濃度防カビ剤ガスを揮発室内から部屋空間へ放出することが望ましい。
【０００８】
さらに請求項３に記載の如く、揮発室に開閉手段を有する流入口と、揮発室内の気体を強制的に部屋空間へ送り出す送風手段とを設け、揮発室内から部屋空間へ高濃度防カビ剤ガスを放出させる際には、揮発室の流入口及び放出口を開放すると共に送風手段を動作させて、揮発室内と部屋空間との間で空気を強制的に流通させてもよい。
【０００９】
また、請求項４に記載するように、高濃度防カビ剤ガスを揮発室内から部屋空間へ放出させた後、部屋空間の出入口が開放されたことを検知すると、即座に部屋空間の換気を実行するように設定してもよい。
【００１０】
（防カビ装置）
本発明が上に述べた防カビ方法を実施するために採用した防カビ装置の特徴とするところは、請求項５に記載する如く、部屋空間に隣接して又は部屋空間の内部に設けられた揮発室と、揮発室内に収納される揮散性防カビ剤の揮発手段と、揮発室に設けられ前記部屋空間に連絡する放出口と、当該放出口の開閉手段とを備えることである。
【００１１】
前記防カビ装置において、請求項６に記載するように、前記揮発室内の気体を強制的に前記部屋空間へ送り出す送風手段を設けてもよい。
【００１２】
さらに請求項７に記載するように、前記放出口の開閉手段及び前記送風手段の動作時間を制御する手段を設けてもよい。
【００１３】
（換気装置）
本発明が採用する防カビ機能を有する換気装置の特徴は、請求項８に記載するごとく、部屋空間に隣接して設けられ排気通路が接続された吸引室と、当該吸引室内に配設され部屋空間の空気を排気通路へ送り出す送風装置と、排気通路の開閉手段とを有する換気装置であって、揮発室、当該揮発室内に収納される揮散性防カビ剤の揮発手段、送風装置の排気通路側と揮発室内とを連絡する流入口、揮発室内と部屋空間とを連絡する放出口、並びに、流入口及び放出口それぞれの開閉手段を備える防カビ装置が、吸引室に隣接して又は吸引室の内部に設けられ、送風装置、排気通路の開閉手段、揮発室の流入口の開閉手段及び放出口の開閉手段それぞれの動作を操作する制御手段を有することである。
【００１４】
前記換気装置において、請求項９に記載するように、送風装置、排気通路の開閉手段、揮発室の流入口の開閉手段及び放出口の開閉手段それぞれの動作時間を設定するタイマーを設けることができる。
【００１５】
さらに請求項１０に記載するように、部屋空間の出入口に設けられる扉の開閉を検知する手段を設け、当該検知手段による扉の開動作検知に基づき、送風装置、排気通路の開閉手段、揮発室の流入口の開閉手段及び放出口の開閉手段それぞれの動作を制御するように設定してもよい。
【００１６】
本発明は、カビが発生しやすい部屋、例えば浴室・シャワー室・化粧室・トイレ・厨房・倉庫・車庫などの比較的密閉性が高く多湿環境となる部屋を主たる適用対象として想定しているが、その他の種類の部屋空間に適用することを妨げるものではない。また本発明において使用する揮散性防カビ剤は揮発性液体や昇華性固体である。すなわち本発明における揮散性とは、蒸発もしくは昇華したものが拡散する性質と定義され、このような性質を有する防カビ剤には、例えば、芥子油（マスタードオイル）やワサビの辛み成分として知られるイソチオシアン酸アリル（略称：ＡＩＴＣ）、ヒノキチオール、テルペン、フィトンチッド等が挙げられるが、これらに限定されるものではない。特にＡＩＴＣのような常温で液体の防カビ剤の場合、取り扱い性を向上させたり表面積を変えて揮発速度を変化させたりするため、液体の保持が可能な多孔質担体に含浸させてもよい。あるいは、油ゲル化剤と混合してゲルを形成したり、熱溶融したワックスなどの樹脂と混合して冷却する際にペレット状・ブロック状等の任意の形状に成型した固形物としてもよい。さらには、熱溶融したワックスなどの樹脂と混合した溶融状態で多孔質担体に含浸した後、冷却固化して粒状物などとすることも考えられる。一方、ヒノキチオールのような常温で固体の防カビ剤の場合は、そのまま用いてもよいし、加熱溶融して液状化した後、上記の液体防カビ剤と同様に、多孔質担体に含浸させたり、ワックスなどの樹脂と混合して成型した固形物としてもよい。防カビ剤の揮発手段を例示すれば、上記のような手段で固体状とした防カビ剤を収納したカートリッジ、あるいは比較的体積の小さい細片・細粒状に形成した防カビ剤を、防カビ剤ガスが透過する材質で製作された袋に収納した分包が考えられ、これらは自然揮発（蒸発又は昇華）を利用するものである。また、揮発室内へ防カビ剤を噴霧するスプレー装置や超音波式霧化機も採用可能であり、これらは、液体状の防カビ剤をミスト化することにより、揮発室内での気化を容易にするものである。
【発明の効果】
【００１７】
請求項１に記載した本発明に係る防カビ方法によれば、揮発室に充満させた高濃度の防カビ剤ガスを、部屋空間と外部との間での空気の流通を阻止した状態で部屋空間へ放出するので、部屋空間の防カビ剤ガス濃度を急激に増大させることができる。つまり、防カビ効果の発現が速い。またガス状態で防カビ剤を放出するから、部屋空間全体に容易に拡散して防カビ剤ガスの空気中濃度がほぼ一様になる。従って、部屋空間内の表側に露出している物体表面のみならず、表側からは目視できない物体裏面側にも防カビ剤を行き渡らせることが可能なので、部屋空間の隅々にまで防カビ効果を及ぼすことができる。しかも、防カビ剤はガス状態であるから、空気で希釈されて液体（ミスト）状態よりも刺激性が低くなり、人に対する安全性も高くなると考えられる。
【００１８】
請求項２に記載の防カビ方法によれば、部屋空間を一定時間換気して湿度を低下させた後に高濃度防カビ剤ガスを部屋空間へ放出するから、湿度低下によるカビの発生抑止効果が得られると共に、部屋空間内の水分によって防カビ剤が吸着され、防カビ効果が低減するのを抑制することができる。もし仮に、多湿環境にある部屋空間内へ、換気することなく防カビ剤ガスを放出した場合、空気中にミスト状態で漂う水分や濡れている壁面や床面上に残存する水分に防カビ剤が吸着され、防カビ剤ガスが有効に用いられず、浪費されるおそれがある。これに対し、予め換気を行っておけば、部屋空間内に存在するカビの胞子等に直接防カビ剤ガスを吸着させることが出来る上に、壁面等の露出している箇所については乾燥させてカビを発生しにくくでき、また乾燥しにくい箇所については残存する水分に防カビ剤が吸着して、防カビ効果を及ぼしやすくなる。
【００１９】
請求項３に記載の防カビ方法によれば、送風手段によって揮発室内から部屋空間との間で空気を強制的に流通させるので、防カビ剤ガスを部屋空間内へ急速に拡散させることができ、それだけ防カビ効果の発現が迅速になる。
【００２０】
請求項４に記載の防カビ方法は、高濃度防カビ剤ガスを放出した後、部屋空間の出入口が開放されたことを検知すると即座に部屋空間の換気を実行するように設定したので、使用者が入室すると、直ちに防カビ剤が部屋空間から排除される。従って、いつでも使用者が希望するときに防カビ剤ガスの影響を排除して、すぐに部屋を使用することができる。
【００２１】
請求項５に記載した本発明に係る防カビ装置によれば、放出口を閉止した状態を維持することにより、揮発室内に揮散性防カビ剤を揮発させて高濃度ガスを充満させ、しかる後、放出口を開放することにより、高濃度防カビ剤ガスを部屋空間内へ放出させることができる。
【００２２】
請求項６に記載する防カビ装置によれば、揮発室内の気体を強制的に部屋空間へ送り出す送風手段を設けたので、高濃度防カビ剤ガスを部屋空間内へ急速に拡散させることが可能である。
【００２３】
請求項７に記載する防カビ装置によれば、防カビ効果を発揮するのに必要な時間だけ、放出口の開閉手段及び送風手段が動作する時間を設定できるから、効率的な使用が可能となる。
【００２４】
請求項８に記載の本発明に係る換気装置によれば、部屋空間の換気を行う際には、揮発室の流入口及び放出口を閉止して、揮発室内に防カビ剤ガスを充満させると共に、防カビ剤ガスが部屋空間へ流出しないようにできる。そして、揮発室内に充満させた高濃度防カビ剤ガスを部屋空間へ放出する際には、揮発室の流入口及び放出口を開放すると同時に、送風装置により揮発室と部屋空間との間で空気を強制的に流通させるから、防カビ剤ガスが急速に部屋空間に拡散し、防カビ効果をきわめて短時間に発現させる。しかもこのとき排気通路を閉止するから、防カビ剤の部屋空間外への流出が阻止され、防カビ剤の無駄な消費を防止する。また本発明換気装置では、換気用の送風装置を、揮発室と部屋空間との間の空気流通用に利用するので、部材点数が少なくなり、装置の小型化が可能である。
【００２５】
請求項９に記載の換気装置によれば、送風装置、排気通路の開閉手段、揮発室の流入口の開閉手段及び放出口の開閉手段の各動作時間をタイマーで制御することにより、部屋空間を一定時間換気したのち、部屋空間へ高濃度防カビ剤ガスを放出し、一定時間空気を流動させる一連の工程を、自動制御することが可能である。
【００２６】
請求項１０に記載の換気装置によれば、請求項４に記載の防カビ方法を実行することが可能である。すなわち、高濃度防カビ剤ガスの放出後、部屋空間の扉の開閉を検知したときには、揮発室の流入口及び放出口を閉止し、排気通路を開放すると同時に、送風装置を起動させて即座に換気を開始する。これにより、いつでも使用者の希望時には防カビ剤ガスの影響を排除して、すぐに部屋を使用することができる。
【発明を実施するための最良の形態】
【００２７】
［第１の実施形態］
図１に、本発明の適用対象を浴室Ｙとした場合の実施形態を示す。なお同図において、Ｃは天井、Ｄは出入口の扉又はドア、Ｅは浴槽、Ｆは床面、Ｗは壁面である。一般に浴室Ｙは、出入口の扉Ｄを閉めると比較的密閉性の高い空間を形成し、入浴後の室内は温暖で多湿なカビの非常に発生しやすい環境となる。そこで本例では、天井Ｃの裏面に配設した換気装置１に防カビ装置を組み込んで、防カビ機能を発揮させる。
【００２８】
図２に示すように、本実施形態の換気装置１は、内側が排気通路１１である排気ダクト１０が接続されたハウジング２の内部を、排気通路１１に連絡する吸引室３と、気密性の高い揮発室５とに区画し、吸引室３には送風装置４を配置し、揮発室５内には防カビ剤の揮発手段６を配置したものである。ハウジング２の下面は浴室天井Ｃに形成した開口部に臨み、当該開口部を覆うように、多数の通気路２０ａを持ったカバーパネル２０が装着される。
【００２９】
送風装置４にはいわゆる換気扇、ファン、ブロア等が用いられ、その構造についても特に制限はなく、軸流ファン、遠心ファン、シロッコファン等を使用可能である。吸引室３と排気通路１１との境界部には開閉手段７が設けられる。また揮発室５における送風装置４の排気通路１１側に臨む領域には開閉手段８を備える流入口５ｂが形成され、浴室Ｙに臨む領域には開閉手段９を備える放出口５ｃが形成される。前記開閉手段７，８，９はいずれも電気的に動作するシャッター・弁・ダンパー等で構成するとよい。なお図示は省略したが、送風装置４及び開閉手段７，８，９の動作を制御する制御装置が適所に設けられる。
【００３０】
揮発室５内に配置される防カビ剤の揮発手段６は、例えば通気孔を有するケースに、多孔質担体に含浸させたり、油ゲル化剤と混合してゲル化させたり、ワックスなどと混合して成型したり、ワックスなどと混合したのち溶融状態で多孔質担体に含浸させ冷却固化させたりする等の手段により固体状とした防カビ剤を収納したカートリッジ形のものや、通気性を持つ袋に比較的体積の小さい細片・細粒状に形成した防カビ剤を収納した分包形が考えられる。これらを揮発室５内に配置して所定時間放置すれば、固体状の防カビ剤から自然揮発（蒸発又は昇華）して、揮発室内空間５ａが高濃度の防カビ剤ガスで充満する。上述した固体状の防カビ剤を使用する揮発手段６は、構成が簡素なので設備コストが安くて済み、防カビ剤の交換・補充が容易であるという利点を持つ。揮発手段６に、防カビ剤を噴霧するスプレー装置や、超音波式霧化機を採用することも可能である。これらは、ミスト状で揮発室内空間５ａへ放散した防カビ剤は短時間で気化するから、揮発室５内を高濃度防カビ剤ガスで充満させるのに要する時間が短くて済むという利点を有する。なお使用する防カビ剤の種類は、揮散性を有し、且つ、人体に対する毒性がなるべく低いもの、例えばイソチオシアン酸アリル、ヒノキチオール、テルペン、フィトンチッド等の天然成分由来の物質が望ましい。イソチオシアン酸アリルは、防カビ効果に優れるほか、強い抗菌作用を発揮して細菌の増殖を抑制する効果も有する。ヒノキチオール・テルペン・フィトンチッドは、人体に対する毒性が非常に小さいという利点が有る。
【００３１】
ところで揮発室５の必要容積は、使用する防カビ剤の種類と、浴室Ｙの容積との関係で決定される。例えばイソチオシアン酸アリルを防カビ剤として選定した場合、有効な防カビ効果を発揮するイソチオシアン酸アリルの空気中濃度は０．２５〜１．０ｐｐｍ（好ましくは０．５ｐｐｍ）と考えられる。揮発室５中に常温（２０°Ｃ）で放置したときのイソチオシアン酸アリルの飽和濃度は約７０００ｐｐｍとなるから、浴室Ｙの容積をＶとすると、浴室Ｙ内のイソチオシアン酸アリル濃度を０．２５〜１．０ｐｐｍとするのに必要とされる揮発室５の容積Ｖｘは、Ｖｘ＝Ｖ×（１／２８０００〜１／７０００）となる。
【００３２】
前記の如く構成された換気装置１は、浴室Ｙの換気工程を行う際には、制御装置の働きにより、図２（Ａ）の如く、排気通路１１の開閉手段７を開放すると共に、揮発室５の流入口５ｂの開閉手段８及び放出口５ｃの開閉手段９を閉止した状態で、送風装置４を稼働させる。これにより、浴室Ｙ内の空気を吸引室３に吸い込み、排気通路１１を通じ外部へ送り出して浴室Ｙを換気する。その間、揮発室５は密閉状態に保たれ、揮発手段６から気化した防カビ剤ガスで揮発室内空間５ａが充満する。
【００３３】
しかるのち浴室Ｙの防カビ工程を行う際には、図２（Ｂ）に示す如く、排気通路１１の開閉手段７を閉止して浴室Ｙと外部との間で空気が流通するのを阻止すると共に、揮発室５の流入口５ｂの開閉手段８及び放出口５ｃの開閉手段９を開放し、この状態で送風装置４を稼働させる。これにより浴室Ｙから吸引室３内へ吸い込んだ空気を、流入口５ｂから揮発室５内へ送り込み、放出口５ｃから浴室Ｙへ放出させる空気の流動が生じる。前述したように揮発室内空間５ａには高濃度防カビ剤ガスが充満しているから、上記の空気流動により、高濃度防カビ剤ガスは浴室Ｙ内へ一気に押し出される。従って、浴室Ｙにおける防カビ剤ガスの空気中濃度が急激に増加し、短時間で防カビ効果を発現させることができる。また、高濃度防カビ剤ガスは素早く浴室Ｙの隅々まで拡散するので、優れた防カビ効果を発揮する。
【００３４】
図２（Ｂ）に示す防カビ工程を所望時間実行したならば、揮発室５を図２（Ａ）に示す密閉状態に戻す。これにより、揮発室５内に防カビ剤ガスが再び充満し、次の防カビ工程に備えることができる。
【００３５】
［第２の実施形態］
前述した換気装置１の動作をタイマー制御する態様について、図３〜６を参照して説明する。図３に示すように、入浴が終了して浴室から人が退出した後、給湯スイッチが設けられている場合には、そのＯＦＦ動作を検知して、換気装置１を始動させる。あるいは換気装置１の始動スイッチをＯＮにする。これにより、図４に示すように、排気通路１１が開かれ、揮発室５が密閉状態になされると共に、送風装置４が起動して、浴室Ｙの換気を所定時間（例えば２時間）行う。その結果、浴室Ｙ内の湿度が低下し（望ましくは６０％以下にする）、壁面Ｗや床面Ｆの乾きやすい箇所については乾燥が進むので、カビが発生しにくくなる。この間、揮発室５内には、高濃度防カビ剤ガスＧが充満する。
【００３６】
所定時間が経過したならば、図５に示すように、排気通路１１を閉止すると共に、揮発室５の流入口５ｂ及び放出口５ｃを開放し、送風装置４により送り込まれる空気流によって、揮発室５内の高濃度防カビ剤ガスＧを浴室Ｙ内へ急速に押し出す。高濃度防カビ剤ガスＧは迅速に拡散して、浴室Ｙの隅々まで防カビ効果を及ぼす。上記状態を所定時間（例えば１時間）維持することにより、図６に示すように、浴室Ｙ内空間に防カビ剤ガスＧが一様に分散し、且つ、防カビ剤ガスＧの空気中濃度を確実に所要値以上に到達させることができる。所定時間が経過したならば送風装置４を停止させる。また同時に、流入口５ｂ及び放出口５ｃを閉止して揮発室５を密閉状態とし、防カビ剤の消費を抑制するようにしてもよい。
【００３７】
しかるのち浴室Ｙに人が入室すると、浴室Ｙ内には防カビ剤ガスが残存しているから、人によっては不快に感じるおそれがある。そこで本例では、浴室Ｙの扉Ｄにセンサーやリミットスイッチ等から成る扉開閉動作の検知手段を設け、防カビ剤ガスの放出後、扉Ｄの開動作を検知したときには、図４に示す換気工程に戻るよう設定した。つまり排気通路１１を開き、揮発室５を密閉状態にすると共に、送風装置４を起動させ、即座に浴室Ｙを換気して防カビ剤ガスを排除する。このガス排除工程は、所定時間（例えば１０分）行った後、送風装置４を自動的に停止させるよう設定してもよい。
【００３８】
なお上記ガス排出工程は、防カビ剤ガスを部屋空間内へ放出した後、所定時間が経過したならば、扉の開閉が無くても、自動的に実行されるよう設定することも可能である。
【００３９】
［第３の実施形態］
図７は、換気装置とは独立させて設けた防カビ装置Ｘの一例を示すものである。この防カビ装置Ｘは、浴室等の部屋空間内の適所に設置して使用される。当該防カビ装置Ｘの構造は、揮発室５を形成するケーシングに、例えば電磁弁等から成る開閉手段８を備えた流入口５ｂ及びダンパー等より成る開閉手段９を備えた放出口５ｃを設け、内部空間５ａに防カビ剤の揮発手段６と、送風手段Ｍとを配置したものである。なお図示は省略したが、流入口５ｂの開閉手段８、放出口５ｃの開閉手段９、及び、送風手段Ｍの動作を関連づけて制御する制御装置と、防カビ装置Ｘの始動・停止スイッチとが設けられる。
【００４０】
上記防カビ装置Ｘの動作は前記実施態様に準じる。すなわち、この防カビ装置Ｘを浴室に設置した場合を例に採って説明すると、通常の入浴時又は換気時には、流入口５ｂ及び放出口５ｃを閉止して揮発室内空間５ａを密閉状態に保ち、空間５ａに高濃度防カビ剤ガスを充満させる。入浴が終了して換気装置を停止させた後、防カビ装置Ｘを始動させる。これにより、流入口５ｂ及び放出口５ｃが開放されると共に、内部の送風手段Ｍが起動して、充満させた高濃度防カビ剤ガスが浴室内へ迅速に送り出される。しかるのち、所定時間が経過したならば、あるいは防カビ装置Ｘの停止スイッチを操作することにより、送風手段Ｍを停止させると共に流入口５ｂ及び放出口５ｃを閉止して初期状態に戻し、再び空間５ａに高濃度防カビ剤ガスを充満させる。
【００４１】
上記防カビ装置Ｘにおいて、内部の送風手段Ｍは場合により省略することができる。例えば、防カビ剤ガスの比重が空気より重い場合、防カビ装置Ｘを部屋空間のなるべく上部（天井など）に設置すれば、放出口５ｃを開放すると、防カビ剤ガスが自重で揮発室５内から部屋空間へ流出し、しかるのち、自然拡散で部屋全体に行き渡ると考えられる。従って、防カビ工程の実行時間を十分に確保できる条件下では、送風手段Ｍは必ずしも必要とはされない。
【００４２】
［その他の実施形態］
本発明の適用対象とする部屋空間は浴室に限定されるものではなく、カビの発生を防止することが要求される部屋であれば適用対象となる。但し当該部屋空間は、換気装置を備えるか、又は、換気の容易な環境であることが望ましい。また、本発明に係る防カビ装置は、単独で室内に設置する場合及び換気装置に組み込んだ場合について説明したが、空調装置や空気清浄機と組み合わせて用いることも考えられる。さらに、単独で構成する場合は、持ち運び可能な形態も考えられる。
【図面の簡単な説明】
【００４３】
【図１】本発明の第１の実施形態に係るものであって、防カビ機能を有する換気装置を浴室天井に設置した状況を概略的に示す斜視図である。
【図２】本発明の第１の実施形態に係る防カビ機能を有する換気装置を示すものであって、図（Ａ）は換気工程を行っている状態の正面断面図、図（Ｂ）は防カビ工程を行っている状態の正面断面図である。
【図３】本発明の第２の実施形態に関するものであって、防カビ機能を有する換気装置の動作態様を説明するフローチャートである。
【図４】本発明の第２の実施形態に関するものであって、防カビ機能を有する換気装置による浴室の換気工程を示す正面断面図である。
【図５】本発明の第２の実施形態に関するものであって、防カビ機能を有する換気装置による浴室の防カビ工程を示す正面断面図である。
【図６】本発明の第２の実施形態に関するものであって、防カビ機能を有する換気装置による浴室の防カビ工程が維持されている状態を示す正面断面図である。
【図７】本発明の第３の実施形態に係る防カビ装置を示す正面断面図である。
【符号の説明】
【００４４】
１…換気装置  ２…ハウジング  ３…吸引室  ４…送風装置  ５…揮発室  ５ａ…揮発室内空間  ５ｂ…流入口  ５ｃ…放出口  ６…防カビ剤の揮発手段  ７…開閉手段  ８…開閉手段  ９…開閉手段  １０…排気ダクト  １１…排気通路  ２０…カバーパネル  ２０ａ…通気路  Ｘ…防カビ装置  Ｙ…浴室  Ｃ…天井  Ｄ…扉  Ｅ…浴槽  Ｆ…床面  Ｍ…送風手段  Ｗ…壁面  Ｇ…防カビ剤ガス
【図１】
2007333240.tif 000003
【図２】
2007333240.tif 000004
【図３】
2007333240.tif 000005
【図４】
2007333240.tif 000006
【図５】
2007333240.tif 000007
【図６】
2007333240.tif 000008
【図７】
2007333240.tif 000009